(57)【要約】【課題】ユーザが感じる車両用装置の操作性を客観的に評価すると共に、その評価結果に基づいて車両用装置の操作性を制御する車両用装置の操作性制御方法および操作性制御装置を提供する。【解決手段】車両用装置の操作性制御方法は、計測処理（ステップＳ１００）と、算出処理（ステップＳ２００）と、面積パラメータ決定処理（ステップＳ４００）と、反力パラメータ決定処理（ステップＳ５００）とを備える。計測処理では、ユーザが車両用装置を操作する際に、操作性に影響度のある主観要因に相関性を有する客観要因を計測部が計測する。算出処理では、計測部が計測した客観要因に基づいて、算出部が操作性の評価値を算出する。面積パラメータ決定処理では、算出部が算出した評価値に基づいて、制御部が面積パラメータを制御する。反力パラメータ決定処理では、算出部が算出した評価値に基づいて、制御部が反力パラメータを制御する。【選択図】      図２２
2014203128.tif 000002
【特許請求の範囲】
【請求項１】
車両またはドライビングシミュレータに搭載された車両用装置（60）の操作性を制御する車両用装置の操作性制御方法であって、
ユーザが前記車両用装置を操作する際に、前記操作性に影響度のある主観要因に相関性を有する客観要因を計測手段（40）が計測するステップ（S100）と、
前記計測手段が計測した前記客観要因に基づいて、算出手段（42）が前記操作性の評価値を算出するステップ（S200）と、
前記算出手段が算出した前記評価値に基づいて、制御手段（86）が前記車両用装置の操作性に関する操作パラメータを変更するステップ（S400，S500）とを備えた
ことを特徴とする車両用装置の操作性制御方法。
【請求項２】
前記主観要因は、前記ユーザが前記車両用装置を操作する際に、当該ユーザが運転に集中できると感じる第１の主観値を含み、
前記客観要因は、前記第１の主観値に相関性を有すると共に、前記ユーザが前記車両用装置を操作する際に、車両またはドライビングシミュレータの走行軌跡（L2）が基準となる走行線（L1）に対してズレる量である第１の客観値を含む請求項１記載の車両用装置の操作性制御方法。
【請求項３】
前記主観要因は、前記ユーザが前記車両用装置を操作する際に、当該ユーザが操作に労力がいらないと感じる第２の主観値を含み、
前記客観要因は、前記第２の主観値に相関性を有すると共に、前記ユーザが前記車両用装置を操作する時間である第２の客観値を含む請求項２記載の車両用装置の操作性制御方法。
【請求項４】
前記主観要因は、前記ユーザが前記車両用装置を操作する際に、当該ユーザがおおざっぱに操作できると感じる第３の主観値を含み、
前記客観要因は、前記第３の主観値に相関性を有すると共に、前記ユーザが前記車両用装置を操作する際に当該車両用装置に対して行った操作量である第３の客観値を含む請求項２または３記載の車両用装置の操作性制御方法。
【請求項５】
前記主観要因は、前記ユーザが前記車両用装置を操作する際に、当該ユーザが操作ミスが起こりにくいと感じる第４の主観値を含み、
前記客観要因は、前記第４の主観値に相関性を有すると共に、前記ユーザが前記車両用装置を操作する際に発生した操作ミスの発生率である第４の客観値を含む請求項２〜４のいずれか一項に記載の車両用装置の操作性制御方法。
【請求項６】
前記制御手段は、前記算出手段で算出される評価値が予め設定された目標値に近づくよう前記操作パラメータを制御する請求項１〜５のいずれか一項に記載の車両用装置の操作性制御方法。
【請求項７】
前記車両用装置は、
前記ユーザに操作される操作部（32）と、
少なくとも１つの選択肢画像（A，B，C）を含む操作画像（68）が表示されると共に、前記操作画像中に前記操作部の操作に対応して指示画像（24）が移動するように表示される表示部（12a）と、
前記選択肢画像の周囲に前記指示画像を当該選択肢画像に向けて引き込む引込領域（S）を設定する引込領域設定手段（70）とを備え、
前記操作パラメータは、前記引込領域設定手段が前記選択肢画像の周囲に設定する引込領域の面積を制御する面積パラメータを含み、
前記算出手段が算出した評価値に基づいて、前記引込領域の面積が変化するよう前記制御手段が前記面積パラメータを制御するステップ（S400）を備える請求項１〜６のいずれか一項に記載の車両用装置の操作性制御方法。
【請求項８】
前記車両用装置は、前記引込領域に前記指示画像が重なった場合に前記選択肢画像に引き込まれる指示画像に対応して前記操作部が変位するよう前記操作部に対し反力を付与する反力生成部（82，84）を備え、
前記操作パラメータは、前記反力生成部が生成する反力を制御する反力パラメータを含み、
前記算出手段が算出した評価値に基づいて、前記反力生成部が生成する反力が変化するよう前記制御手段が前記反力パラメータを制御するステップ（S500）を備える請求項７に記載の車両用装置の操作性制御方法。
【請求項９】
車両またはドライビングシミュレータに搭載された車両用装置の操作性を制御する車両用装置の操作性制御装置であって、
ユーザが前記車両用装置を操作する際に、前記操作性に影響度のある主観要因に相関性を有する客観要因を計測する計測手段と、
前記計測手段が計測した前記客観要因に基づいて、前記操作性の評価値を算出する算出手段と、
前記算出手段が算出した前記評価値に基づいて、前記車両用装置の操作性に関する操作パラメータを変更する制御手段とを備えた
ことを特徴とする車両用装置の操作性制御装置。
【請求項１０】
前記主観要因は、前記ユーザが前記車両用装置を操作する際に、当該ユーザが運転に集中できると感じる第１の主観値を含み、
前記客観要因は、前記第１の主観値に相関性を有すると共に、前記ユーザが前記車両用装置を操作する際に、車両またはドライビングシミュレータの走行軌跡が基準となる走行線に対してズレる量である第１の客観値を含み、
前記計測手段は、前記第１の客観値を計測する第１の計測部（46）を備えている請求項９記載の車両用装置の操作性制御装置。
【請求項１１】
前記主観要因は、前記ユーザが前記車両用装置を操作する際に、当該ユーザが操作に労力がいらないと感じる第２の主観値を含み、
前記客観要因は、前記第２の主観値に相関性を有すると共に、前記ユーザが前記車両用装置を操作する時間である第２の客観値を含み、
前記計測手段は、前記第２の客観値を計測する第２の計測部（48）を備えている請求項１０記載の車両用装置の操作性制御装置。
【請求項１２】
前記主観要因は、前記ユーザが前記車両用装置を操作する際に、当該ユーザがおおざっぱに操作できると感じる第３の主観値を含み、
前記客観要因は、前記第３の主観値に相関性を有すると共に、前記ユーザが前記車両用装置を操作する際に当該車両用装置に対して行った操作量である第３の客観値を含み、
前記計測手段は、前記第３の客観値を計測する第３の計測部（50）を備えている請求項１０または１１記載の車両用装置の操作性制御装置。
【請求項１３】
前記主観要因は、前記ユーザが前記車両用装置を操作する際に、当該ユーザが操作ミスが起こりにくいと感じる第４の主観値を含み、
前記客観要因は、前記第４の主観値に相関性を有すると共に、前記ユーザが前記車両用装置を操作する際に発生した操作ミスの発生率である第４の客観値を含み、
前記計測手段は、前記第４の客観値を計測する第４の計測部（52）を備えている請求項１０〜１２のいずれか一項に記載の車両用装置の操作性制御装置。
【請求項１４】
前記制御手段は、前記算出手段で算出される評価値が予め設定された目標値に近づくよう前記操作パラメータを制御する請求項９〜１３のいずれか一項に記載の車両用装置の操作性制御装置。
【発明の詳細な説明】
【技術分野】
【０００１】
本発明は、車両またはドライビングシミュレータに搭載された車両用装置の操作性を評価する操作性制御方法および操作性制御装置に関する。
【背景技術】
【０００２】
例えば自動車の運転室には、エアコンの温度や風量を設定する設定画面を表示したり、映像・音楽の選択や音量調節を行う操作画面を表示したりする画像表示装置が設けられている。ドライバ（ユーザ）は、画像表示装置に表示された操作画面を手指で直接触れて操作したり、運転室に設けた車両用入力装置を介して操作画面を操作したりするようになっている。
【０００３】
ところで、近年では、自動車に搭載される情報システムが高度化しており、これに伴い画像表示装置や車両用入力装置（以下、車両用装置）に対する操作も高度化、複雑化する傾向にある。そのため、車両用装置の操作性（操作のし易さ、ユーザビリティ（Ｕｓａｂｉｌｉｔｙ））は、ドライバへの身体的負担を左右し、ひいては自動車の運転にも影響を及ぼし得る。そこで、車両用装置の操作性を評価する評価装置が提案されている（例えば特許文献１参照）。
【先行技術文献】
【特許文献】
【０００４】
【特許文献１】特開２００７−１０９２４８号公報
【発明の概要】
【発明が解決しようとする課題】
【０００５】
ところが、特許文献１の評価装置では、操作時間に基づいて実行された操作が目的とする操作と一致するか否かを判定するに止まる。そのため、特許文献１の評価装置で、ドライバが感じる主観的な「操作性」を定量的に評価することができない難点があった。
【０００６】
しかも、特許文献１の評価装置では、実行された操作が正しく操作されたか否かを判定するだけで、操作性が向上するように車両用装置の設定を自動的に調整するものではない。
【０００７】
そこで、本発明は、上記課題を解決するためになされたものであって、その目的は、ユーザが感じる車両用装置の操作性を客観的に評価すると共に、その評価結果に基づいて車両用装置の操作性を制御する車両用装置の操作性制御方法および操作性制御装置を提供することにある。
【課題を解決するための手段】
【０００８】
請求項１の発明では、
車両またはドライビングシミュレータに搭載された車両用装置の操作性を制御する車両用装置の操作性制御方法であって、
ユーザが前記車両用装置を操作する際に、前記操作性に影響度のある主観要因に相関性を有する客観要因を計測手段が計測するステップと、
前記計測手段が計測した前記客観要因に基づいて、算出手段が前記操作性の評価値を算出するステップと、
前記算出手段が算出した前記評価値に基づいて、制御手段が前記車両用装置の操作性に関する操作パラメータを変更するステップとを備えたことを特徴とする。
【０００９】
請求項１の発明によれば、操作性に影響度のある主観要因に相関性を有する客観要因を計測手段が計測し、計測された客観要因に基づいて算出手段が評価値を算出する。更に、算出手段が算出した評価値に基づいて、制御手段が車両用装置の操作パラメータを制御する。すなわち、ユーザが感じる主観要因を適確に反映した操作性の評価値に基づいて、車両用装置の操作パラメータを制御する。従って、車両用装置の操作性が自動的に制御されて、ユーザは快適な操作感を味わうことができる。また、ユーザが車両用装置を操作する際に計測される客観要因に基づいて評価値が算出されるから、個々のユーザの特性や癖に合わせて車両用装置の操作性を制御することができる。
【００１０】
また、請求項１の発明では、車両用装置の評価値を算出して、操作性を自動的に制御する。従って、新しい車両用装置を開発した際に、多くの被験者を集めてアンケート調査を行って操作性の評価を得たり、アンケート調査の結果から車両用装置の操作性を調整したりする手間やコストを抑制することができる。
【００１１】
請求項２の発明では、
前記主観要因は、前記ユーザが前記車両用装置を操作する際に、当該ユーザが運転に集中できると感じる第１の主観値を含み、
前記客観要因は、前記第１の主観値に相関性を有すると共に、前記ユーザが前記車両用装置を操作する際に、車両またはドライビングシミュレータの走行軌跡が基準となる走行線に対してズレる量であることを特徴とする。
【００１２】
請求項２の発明によれば、車両またはドライビングシミュレータの走行軌跡が基準となる走行線に対してズレる量である第１の客観値に基づいて評価値が算出される。この第１の客観値は、ユーザが運転に集中できると感じる第１の主観値に相関性を有している。従って、第１の客観値を用いることでユーザが運転に集中できると感じる第１の主観値を評価値に反映させることができる。
【００１３】
請求項６の発明では、前記制御手段は、前記算出手段で算出される評価値が予め設定された目標値に近づくよう前記操作パラメータを制御することを特徴とする。
【００１４】
請求項６の発明によれば、制御手段は、評価値が目標値に近づくよう操作パラメータを制御するから、車両用装置の操作性を向上させることができる。
【００１５】
請求項７の発明では、
前記車両用装置は、
前記ユーザに操作される操作部と、
少なくとも１つの選択肢画像を含む操作画像が表示されると共に、前記操作画像中に前記操作部の操作に対応して指示画像が移動するように表示される表示部と、
前記選択肢画像の周囲に前記指示画像を当該選択肢画像に向けて引き込む引込領域を設定する引込領域設定手段とを備え、
前記操作パラメータは、前記引込領域設定手段が前記選択肢画像の周囲に設定する引込領域の面積を制御する面積パラメータを含み、
前記算出手段が算出した評価値に基づいて、前記引込領域の面積が変化するよう前記制御手段が前記面積パラメータを制御するステップを備えることを特徴とする。
【００１６】
請求項７の発明によれば、制御手段は、評価値に応じて引込領域の面積が変化するよう面積パラメータを制御する。従って、例えば評価値が低い場合に引込領域が大きくなるよう面積パラメータを制御すれば、選択肢画像を選択する際の操作性を向上させることができる。
【００１７】
請求項８の発明では、
前記車両用装置は、前記引込領域に前記指示画像が重なった場合に前記選択肢画像に引き込まれる指示画像に対応して前記操作部が変位するよう前記操作部に対し反力を付与する反力生成部を備え、
前記操作パラメータは、前記反力生成部が生成する反力を制御する反力パラメータを含み、
前記算出手段が算出した評価値に基づいて、前記反力生成部が生成する反力が変化するよう前記制御手段が前記反力パラメータを制御するステップを備えることを特徴とする。
【００１８】
請求項８の発明によれば、制御手段は、評価値に応じて操作部に作用する反力が変化するよう反力パラメータを制御する。従って、例えば評価値が低い場合に操作部に作用する反力が大きくなるよう反力パラメータを制御すれば、ユーザの誤操作の影響を操作部が受け難くなる。その結果、選択肢画像を効率的に選択することができ、車両用装置の操作性を向上させることができる。
【００１９】
請求項９の発明では、
車両またはドライビングシミュレータに搭載された車両用装置の操作性を制御する車両用装置の操作性制御装置であって、
ユーザが前記車両用装置を操作する際に、前記操作性に影響度のある主観要因に相関性を有する客観要因を計測する計測手段と、
前記計測手段が計測した前記客観要因に基づいて、前記操作性の評価値を算出する算出手段と、
前記算出手段が算出した前記評価値に基づいて、前記車両用装置の操作性に関する操作パラメータを変更する制御手段とを備えたことを特徴とする。
【００２０】
請求項９の発明によれば、操作性に影響度のある主観要因に相関性を有する客観要因を計測手段が計測し、計測された客観要因に基づいて算出手段が評価値を算出する。更に、算出手段が算出した評価値に基づいて、制御手段が車両用装置の操作パラメータを制御する。すなわち、ユーザが感じる主観要因を適確に反映した操作性の評価値に基づいて、車両用装置の操作パラメータを制御する。従って、車両用装置の操作性が自動的に制御されて、ユーザは快適な操作感を味わうことができる。また、ユーザが車両用装置を操作する際に計測される客観要因に基づいて評価値を算出するから、個々のユーザの特性や癖に合わせて車両用装置の操作性を制御することができる。
【００２１】
また、請求項９の発明では、車両用装置の評価値を算出して、操作性を自動で制御する。従って、新しい車両用装置を開発した際に、多くの被験者を集めてアンケート調査を行って評価を得たり、アンケート調査の結果から車両用装置の操作性を調整したりする場合の手間やコストを抑制することができる。
【００２２】
請求項１０の発明では、
前記主観要因は、前記ユーザが前記車両用装置を操作する際に、当該ユーザが運転に集中できると感じる第１の主観値を含み、
前記客観要因は、前記第１の主観値に相関性を有すると共に、前記ユーザが前記車両用装置を操作する際に、車両またはドライビングシミュレータの走行軌跡が基準となる走行線に対してズレる量である第１の客観値を含み、
前記計測手段は、前記第１の客観値を計測する第１の計測部を備えていることを特徴とする。
【００２３】
請求項１０の発明によれば、車両またはドライビングシミュレータの走行軌跡が基準となる走行線に対してズレる量である第１の客観値に基づいて評価値が算出される。この第１の客観値は、ユーザが運転に集中できると感じる第１の主観値に相関性を有している。従って、第１の客観値を用いることでユーザが運転に集中できると感じる第１の主観値を評価値に反映させることができる。
【００２４】
請求項１４の発明では、前記制御手段は、前記算出手段で算出される評価値が予め設定された目標値に近づくよう前記操作パラメータを制御することを特徴とする。
【００２５】
請求項１４の発明によれば、制御手段は、評価値が目標値に近づくよう操作パラメータを制御するから、車両用装置の操作性を向上させることができる。
【図面の簡単な説明】
【００２６】
【図１】第１実施形態に係る車両用装置が適用された自動車を概略的に示す断面図。
【図２】第１実施形態に係る車両用装置を示すブロック図。
【図３】第１実施形態に係る操作画像を示す正面図。
【図４】第１実施形態に係る操作性評価装置の制御構成を示すブロック図。
【図５】操作性の因果構造を共分散構造分析により分析した結果を示す図。
【図６】道路の基準走行線および自動車の走行軌跡を示す概略図。
【図７】評価実験で使用された３種類の操作画像を示す図。
【図８】評価実験で使用された４種類の操作デバイスを示す表。
【図９】評価実験で行ったアンケートの内容を示す表。
【図１０】評価実験で得られた第１〜第４の客観要因と第１〜第４の主観要因との相関関係を示すグラフ。
【図１１】第１実施形態に係る操作性評価方法を示すフローチャート。
【図１２】第１実施形態に係る車線ズレ量計測処理を示すフローチャート。
【図１３】第１実施形態に係る操作時間計測処理を示すフローチャート。
【図１４】第１実施形態に係る操作距離計測処理を示すフローチャート。
【図１５】第１実施形態に係るエラー率算出処理を示すフローチャート。
【図１６】第１実施形態に係る算出処理を示すフローチャート。
【図１７】第１実施形態に係る出力処理を示すフローチャート。
【図１８】第２実施形態に係る車両用装置を示すブロック図。
【図１９】第２実施形態に係る操作画像を示す正面図。
【図２０】第２実施形態に係る車両用入力装置を示す縦断面図。
【図２１】第２実施形態に係る操作性制御装置の制御構成を示すブロック図。
【図２２】第２実施形態に係る操作性制御方法を示すフローチャート。
【図２３】第２実施形態に係る面積パラメータ決定処理を示すフローチャート。
【図２４】第２実施形態に係る操作画像において引込領域が大きく表示された状態を示す正面図。
【図２５】第２実施形態に係る反力パラメータ決定処理を示すフローチャート。
【発明を実施するための形態】
【００２７】
次に、本発明の実施形態について以下説明する。なお、以下に示す実施形態では、操作性の評価対象である車両用装置として、画像表示装置および車両用入力装置を採用した場合を例示する。また、以下の説明では、画像表示装置および車両用入力装置をまとめて車両用装置と指称する場合がある。実施形態では、車両用装置を自動車（車両）に搭載した場合で例示する。
【００２８】
〔第１実施形態〕
第１実施形態では、車両用装置１０の操作性を評価する操作性評価方法および操作性評価装置３８について説明する。図１は、操作性の評価対象である画像表示装置１２および車両用入力装置１４が設けられた自動車を概略的に示す断面図である。図２は、画像表示装置１２および車両用入力装置１４の制御構成を示すブロック図である。画像表示装置１２は、運転室内に設けられたインストルメントパネル１６に設置されている。車両用入力装置１４は、運手席に隣接して設けられたコンソールボックス１８に設けられている。
【００２９】
（画像表示装置について）
画像表示装置１２は、例えばＬＣＤや有機ＥＬ等のディスプレイ装置で構成されている。画像表示装置１２は、運転室に臨む表示部１２ａを備えており、画像制御部２０により該表示部１２ａに表示される操作画像が制御される。例えば、表示部１２ａには、エアコンの設定画面やナビゲーション画面等の操作画像が表示されるようになっている。
【００３０】
図３は、表示部１２ａに表示された操作画像２２の一例を示す図であって、操作画像２２中には、複数（図３では３つ）の選択肢画像Ａ〜Ｃが表示されている。また、操作画像２２には、選択肢画像Ａ〜Ｃを指示するためのカーソル２４（指示画像）が表示されている。更に、ドライバ（ユーザ）が操作をキャンセルしたい場合に選択される戻りボタン２６が操作画像２２中に表示されている。ドライバが操作をキャンセルしたい場合とは、例えばドライバが意図する選択肢画像Ａ〜Ｃとは異なる選択肢画像Ａ〜Ｃを選択した場合が挙げられる。
【００３１】
本実施形態の自動車には、自動車の走行方向の前方を撮影する車載カメラ２８（図４参照）が設けられている。車載カメラ２８には、図示しない記憶装置が設けられ、車載カメラ２８で撮影した画像を記憶装置に記憶するようになっている。
【００３２】
（車両用入力装置について）
図１に示すように、車両用入力装置１４は、いわゆるハプティックデバイスであって、コンソールボックス１８に設置されたベース部材３０と、該ベース部材３０に対し移動自在に設けられた操作ノブ３２（操作部）とを備えている。また、車両用入力装置１４は、操作ノブ３２の位置情報を把握する操作制御部３４を備えている。操作制御部３４は、画像入力装置の画像制御部２０と電気的に接続されており、ドライバの操作によって変位する操作ノブ３２の位置情報を画像制御部２０に出力する。画像制御部２０は、操作ノブ３２の変位に合わせて操作画像２２中のカーソル２４が移動するように表示させる。
【００３３】
車両用入力装置１４には、カーソル２４による選択を行うための決定ボタン３６が設けられている。選択肢画像Ａ〜Ｃにカーソル２４を重ねた状態でドライバが決定ボタン３６を押下すると、当該選択肢画像Ａ〜Ｃが選択されるようになっている。
【００３４】
（操作性評価装置について）
図４は、本実施形態に係る操作性評価装置３８の全体構成を示すブロック図である。操作性評価装置３８は、計測部４０（計測手段）、算出部４２（算出手段）および出力部４４（出力手段）から基本的に構成されている。この操作性評価装置３８は、例えばＰＣやノートパソコン等のコンピュータで構成され、自動車の後部座席（図示せず）に搭載される。
【００３５】
（計測部について）
計測部４０は、車線ズレ量計測部４６（第１の計測部）、操作時間計測部４８（第２の計測部）、操作距離計測部５０（第３の計測部）およびエラー率算出部５２（第４の計測部）を備えている。
【００３６】
ドライバが車両用装置１０を操作する間に、計測部４０は、客観要因を計測する。この客観要因とは、車両用装置１０の操作性（操作し易さ）に影響度のある主観要因に相関性を有する客観的な因子であって、物理的に計測可能なものをいう。主観要因とは、ドライバが車両用装置１０を操作した際に感じる主観的な因子であって、物理的に計測不能なものをいう。
【００３７】
（主観要因について）
本実施形態では、主観要因として、車両用装置１０の操作性に高い影響度を有する第１〜第４の主観値が採用されている。
【００３８】
第１の主観値は、ドライバが車両用装置１０を操作する際に、ドライバが運転に集中できると感じる主観要因である。第２の主観値は、ドライバが操作に労力がいらないと感じる主観要因である。第３の主観値は、ドライバがおおざっぱに操作できると感じる主観要因である。第４の主観値は、ドライバが操作ミスが起こりにくいと感じる主観要因である。
【００３９】
（第１〜第４の主観値を採用した理由）
主観要因として、前記第１〜第４の主観値を採用した理由を以下に説明する。第１〜第４の主観値は、本願発明者らが自動車技術会春季学術講演会において２０１２年５月２３日付けで発表した「車室内表示操作機器の操作性因子に関する研究（自動車技術会論文集Ｖｏｌ．４３，Ｎｏ．６）」（以下、本研究という）の結果に基づいて決定したものである。
【００４０】
本研究においては、被験者に様々な操作デバイス（車両用入力装置）を操作させ、操作性に関するアンケート調査を行った。このアンケート調査から、操作性に関わる主観要因（操作性因子）を抽出した。
【００４１】
その結果、操作性に関わる主観要因として、以下の９因子が決定された。
（１）「おおざっぱに操作できる」、（２）操作ミスが起こりにくい、（３）操作に労力（回数、時間、力）がいらない」、（４）「操作したことが分かる」、（５）「表示やボタンの意味が分かる」、（６）「運転に集中できる」、（７）「腕や身体が安定する」、（８）「画面を注視する」、（９）「手元を注視する」。
【００４２】
次に、本研究において、抽出された９つの主観要因それぞれの「操作のし易さ（操作性）」に対する影響度を分析するため、「総合的な操作し易さ（操作性）」という共通の原因が、観測できない潜在要因を経て各主観要因へ影響を与えるという仮説モデルを構築した。
【００４３】
ここで、「おおざっぱに操作できる」、「操作ミスが起こりにくい」、「操作に労力（回数、時間、力）がいらない」は、「操作成績がよい」という潜在変数で説明される。また、「操作したことが分かる」、「表示やボタンの意味が分かる」は、「操作が分かり易い」という潜在変数で説明される。「運転に集中できる」は、「安全に運転できる」という潜在変数で説明される。「腕や身体が安定する」は、「身体負担がない」という潜在変数で説明される。「画面を注視しない」、「手元を注視しない」は、「視線負担がない」という潜在変数で説明される。
【００４４】
そして、これら「操作成績がよい」、「操作が分かり易い」、「安全に運転できる」、「身体負担がない」、「視線負担がない」の５つの因子は、「総合的な操作し易さ（操作性）」で説明される。
【００４５】
この仮説モデルの妥当性を検証するため、共分散構造分析を用いて検証を行ったところ、図５に示す結果が得られた。図５から分かるように、「総合的な操作のし易さ（操作性）」からの影響度が大きい主観要因は、「運転に集中できる」、「操作に労力（回数、時間、力）がいらない」、「おおざっぱに操作できる」、「操作ミスが起こりにくい」の順であるといえる。
【００４６】
そこで、本実施形態では、操作性への影響度の大きい「運転に集中できる」（第１の主観値）、「操作に労力がいらない」（第２の主観値）、「おおざっぱに操作できる」（第３の主観値）、「操作ミスが起こりにくい」（第４の主観値）の４つを主観要因として採用した。
【００４７】
（客観要因について）
客観要因としては、前記第１〜第４の主観値にそれぞれ対応する第１〜第４の客観値が採用されている。
【００４８】
第１の客観値は、第１の主観値に相関性を有する客観要因である。すなわち、第１の客観値は、ドライバが運転に集中できると感じることに関連性の高い客観的な物理因子が採用される。
【００４９】
本実施形態では、第１の客観値として、図６に示すように、自動車の走行軌跡Ｌ２が基準となる走行線（以下、基準走行線Ｌ１という）に対してズレた量（以下、車線ズレ量という）が採用されている。この車線ズレ量は、車線ズレ量計測部４６で計測される。車線ズレ量計測部４６は、車載カメラ２８で撮影された自動車の進行方向の前方の映像（以下、走行映像という）から自動車の走行軌跡Ｌ２を導出する。また、車線ズレ量計測部４６は、走行映像に基準走行線Ｌ１を設定し、走行軌跡Ｌ２と基準走行線Ｌ１とのズレから車線ズレ量の標準偏差［ｍ］を算出する。
【００５０】
本実施形態では、自動車の車幅の中央部分が移動した軌跡を走行軌跡Ｌ２として定義した。また、自動車が走行する車線の幅方向の中央を通る線を基準走行線Ｌ１として定義した。車線ズレ量計測部４６は、計測した車線ズレ量を算出部４２に出力する。
【００５１】
第２の客観値は、第２の主観値に相関性を有する客観要因である。すなわち、第２の客観値は、ドライバが操作に労力がいらないと感じることに関連性が高い客観的な物理因子が採用される。
【００５２】
本実施形態では、第２の客観値として、ドライバが車両用装置１０を操作する時間（以下、操作時間という）が採用されている。この操作時間は、操作時間計測部４８で計測される。操作時間計測部４８は、ドライバが操作ノブ３２の操作を開始してから操作が終了するまでの時間を操作時間［ｓ］として計測する。具体的には、操作時間計測部４８は、カーソル２４が移動を開始されると操作が開始されたと判断し、選択肢画像Ａ〜Ｃの何れかが選択された際に操作が終了したと判断する。操作時間計測部４８は、計測した操作時間を算出部４２に出力する。
【００５３】
第３の客観値は、第３の主観値に相関性を有する客観要因である。すなわち、第３の客観値は、ドライバがおおざっぱに操作できる（心理負担が少ない）と感じることに関連性が高い客観的な物理因子が採用される。
【００５４】
本実施形態では、第３の客観値として、ドライバが車両用装置１０を操作する際に当該車両用装置１０に対して行った操作量が採用されている。すなわち、操作に必要な操作量が少なければ、ドライバへの心理的負担が少なく、ドライバはおおざっぱに操作できると感じることになる。この操作量は、操作距離計測部５０で計測される。操作距離計測部５０は、操作量として、ドライバが操作を開始してから終了するまでのカーソル２４の移動量をピクセル量（以下、操作距離［ｐｉｘ］という）として計測する。具体的には、操作距離計測部５０は、カーソル２４が移動を開始してから選択肢画像Ａ〜Ｃの何れかが選択されるまでの間、カーソル２４が操作画像２２中を移動した操作距離を計測する（図３の一点鎖線参照）。操作距離計測部５０は、計測した操作距離を算出部４２に出力する。
【００５５】
第４の客観値は、第４の主観値に相関性を有する客観要因である。すなわち、第４の客観値は、ドライバが操作ミスが起こりにくいと感じることに関連性が高い客観的な物理因子である。
【００５６】
本実施形態では、第４の客観値として、ドライバが車両用装置１０を操作する際に発生した操作ミスの発生率（以下、エラー率［％］という）が採用されている。このエラー率は、エラー率算出部５２で算出される。エラー率算出部５２は、ドライバが所定の操作を行う場合の過去の操作履歴を記憶している。そして、ドライバが所定の操作を行おうとした際に操作ミスが発生すると、エラー率算出部５２は、当該操作に対応する過去の操作履歴を参照してエラー率を算出する。
【００５７】
例えば、操作画像２２中に複数の選択肢画像Ａ〜Ｃが表示されている場合において、ある選択肢画像Ａが選択された後に戻りボタン２６が選択され、続いて他の選択肢画像Ｂが選択されると、エラー率算出部５２は、操作ミスが発生したと判断する。エラー率算出部５２は、算出したエラー率を算出部４２に出力する。
【００５８】
（算出部について）
算出部４２は、計測部４０で計測した客観要因に基づいて、車両用入力装置１４の操作性の評価値を算出する。すなわち、計測部４０で計測した車線ズレ量（第１の客観値）、操作時間（第２の客観値）、操作距離（第３の客観値）およびエラー率（第４の客観値）を用いて、算出部４２は、車両用入力装置１４の操作性を定量的に評価する。
【００５９】
ここで、算出部４２は、操作性（評価値）と客観要因との関係を規定する以下の関係式（第１の関係式）（以下、定量化式という）を用いて評価値を算出する。
【００６０】
評価値＝ａ１＋ａ２（第１の客観値）+ａ３（第２の客観値）+ａ４（第３の客観値）+ａ５（第４の客観値）・・・式（１）
ａ０〜ａ４：係数
【００６１】
（定量化式の導出について）
次に、式（１）の定量化式の導出方法について説明する。評価値（操作性）と主観要因（第１〜第４の主観値）との関係は、重回帰分析により以下の重回帰式（第２の関係式）で表すことができる。
【００６２】
評価値＝ｆ１（主観要因）＝ｂ０＋ｂ１（第１の主観値）+ｂ２（第２の主観値）+ｂ３（第３の主観値）+ｂ４（第４の主観値）・・・式（２）
ｂ０〜ｂ４：偏回帰係数
【００６３】
また、主観要因と客観要因との関係は、回帰分析により以下の回帰式（第３の関係式）で表すことができる。
主観要因＝ｆ２（客観要因）
第１の主観値＝ｃ０+ｃ１（第１の客観値）・・・式（３）（第１の回帰式）
第２の主観値＝ｃ２+ｃ３（第２の客観値）・・・式（４）（第２の回帰式）
第３の主観値＝ｃ４+ｃ５（第３の客観値）・・・式（５）（第３の回帰式）
第４の主観値＝ｃ６+ｃ７（第４の客観値）・・・式（６）（第４の回帰式）
ｃ０〜ｃ７：回帰係数
【００６４】
そして、式（３）〜式（６）の回帰式を式（２）の重回帰式に代入することで、式（１）の定量化式を導出することができる。
【００６５】
そこで、本願発明者は、先ず始めに、式（３）〜式（６）の回帰式の回帰係数を決定するため、以下の実験（評価実験）を行った。
１．運転条件
・Ｓ字カーブ（約４．３ｋｍ）が連続するコースにおいて被験者がドライビングシミュレータを運転
２．操作条件
ドライビングシミュレータを運転しながら、被験者が画像表示装置に表示された３種類の操作画像（図７の画面１〜３）においてタスク１〜３を操作
・タスク１：被験者が画面１中の選択肢画像Ｖ、Ｗ、Ｘ、Ｙ、Ｚのうち、実験者によって指定された選択肢画像を選択
・タスク２：被験者が画面２の風量調整アイコンを操作して、実験者によって指定された風量に設定
・タスク３：被験者が画面３の文字入力アイコンを操作して、実験者によって指定された文字を入力
３．操作デバイス（図８参照）
・タッチパネルディスプレイ：タッチパネルディスプレイに操作画像が表示され、被験者がタッチパネルディスプレイに直接触れて操作
・ハプティックデバイス：被験者が操作ノブを操作して操作画像中のカーソルを移動させ、決定ボタンを押すことで選択
・タッチパッドデバイスＡ（振動機能あり）：被験者がタッチパッド面を指でスライドさせることで操作画像のカーソルを移動させ、タッチパッド面を押し込み操作することで選択
（押し込み時やカーソルが選択肢画像に重なったときにタッチパッド面が振動）
・タッチパッドデバイスＢ（振動機能なし）：被験者がタッチパッド面を指でスライドさせて操作画像中のカーソルを移動させ、タッチパッド面を押し込み操作することで選択
（タッチパッド面が振動する機能なし）
上記４種の操作デバイスのそれぞれについて、被験者１２名（男性６名，女性６名）にタスク１〜３を実行させた。そして、各タスクを実行したときの車線ズレ量［ｍ］、操作時間［ｓ］、操作距離［ｐｉｘ］およびエラー率［％］を測定した。車線ズレ量については、ドライビングシミュレータの走行履歴から車線ズレ量を計測し、その標準偏差を車線ズレ量とした。
【００６６】
また、ドライビングシミュレータの運転室内に車内カメラを設置し、被験者が操作する様子を車内カメラで録画した。そして、操作時間およびエラー率は、録画された映像に基づいて実験者が計測または算出した。また、操作距離については、カーソルの移動軌跡を分析して、各タスクが終了するまでのカーソルの累積移動量を計測した。なお、操作距離については、カーソルの移動軌跡が記録されるハプティックデバイスおよびタッチパッドデバイスＡ，Ｂについてのみ計測し、タッチパネルディスプレイの操作距離は計測しなかった。
【００６７】
次に、被験者に対し、各操作デバイスでタスク１〜３を操作したときの操作性に関するアンケート（図９）を実施した。アンケート項目は、「運転に集中できましたか？」（第１の主観値）、「操作に労力（回数、時間、力）がいらないと感じましたか？」（第２の主観値）、「おおざっぱにやっても操作できましたか？」（第３の主観値）、「操作ミスが起こりにくいと感じましたか？」（第４の主観値）および「総合的に操作し易かったですか？」（操作性）の５つであり、それぞれ１〜７の７段階（数字が大きくなるにつれて評価が高い）で被験者の主観的な評価を集計した。
【００６８】
そして、アンケートの結果から、（ａ）第１の主観値と第１の客観値との関係、（ｂ）第２の主観値と第２の客観値との関係、（ｃ）第３の主観値と第３の客観値との関係、および（ｄ）第４の主観値と第４の客観値との関係をプロットし、式（３）〜式（６）の回帰式の回帰係数を求めた。その結果を図１０、回帰式を以下に示す。
【００６９】
第１の主観値＝−９．３２（第１の客観値）+８．０７        ・・・式（７）
相関係数：−０．８８
第２の主観値＝−０．０８８３（第２の客観値）+５．２７    ・・・式（８）
相関係数：−０．８７
第３の主観値＝−０．０００５１７（第３の客観値）+５．０７・・・式（９）
相関係数：−０．８７
第４の主観値＝−９．４４（第４の客観値）＋４．５２      ・・・式（１０）
相関係数：−０．６２
【００７０】
このように、第１〜第４の主観値と第１〜第４の客観値とは、それぞれ高い相関を有していることが確認された。
【００７１】
次に、本願発明者は、式（２）の重回帰式の偏回帰係数を以下のように決定した。図９のアンケートの結果から、被験者の操作性についての総合的な評価（操作性）と、第１〜第４の主観値との関係を重回帰分析により分析した。その結果を次式に示す。
【００７２】
評価値＝１．００８＋０．３１６（第１の主観値）＋０．１７４（第２の主観値）＋０．２１３（第３の主観値）＋０．１４０（第４の主観値）・・・式（１１）
寄与率：６３％
【００７３】
そして、得られた式（１１）に式（７）〜式（１０）を代入することで、式（１）の定量化式が以下の如く決定された。
【００７４】
評価値＝６．１８８−２．９５（第１の客観値）―０．０１５４(第２の客観値)−０．０００１１（第３の客観値）−１．３２（第４の客観値）・・式（１２）
【００７５】
本実施形態の算出部４２には、このようにして得られた評価値の定量化式（１２）が記憶されている。そして、算出部４２は、計測部４０で計測された第１〜第４の客観値から評価値を算出するようになっている。すなわち、車線ズレ量計測部４６が計測した車線ズレ量、操作時間計測部４８で計測した操作時間、操作距離計測部５０が計測した移動量およびエラー率算出部５２が算出したエラー率を定量化式（１２）に代入することで、算出部４２は、評価値を自動的に求めるようになっている。
【００７６】
なお、定量化式（１２）を導出するにあたっては、前述のように、被験者へのアンケートの評価を最大７として実施した。そのため、定量化式（１２）を用いて得られる評価値は、７よりも小さな値となる。
【００７７】
算出部４２は、評価値を算出すると、当該評価値を出力部４４に出力する。
【００７８】
（出力部について）
出力部４４は、算出部４２が算出した評価値を表示するディスプレイであって、例えば液晶表示装置で構成される。出力部４４で評価値を表示することで、実験者やドライバが車両用入力装置１４の操作性の評価値を認識することができる。
【００７９】
（操作性評価方法について）
次に、操作性評価装置３８を用いて操作性の評価値を算出する具体的方法について説明する。なお、以下の説明では、ドライバが自動車を運転している状態で、画像表示装置１２に図３に示す操作画像２２が表示されているとする。そして、当該操作画像２２において、ドライバが運転をしながら操作ノブ３２を操作して、選択肢画像Ａを選択する操作を行う場合を例示する。
【００８０】
ドライバが自動車を運転しながら操作ノブ３２を操作して、操作画像２２中のカーソル２４を移動させる。カーソル２４が移動することで、操作性評価装置３８は作動を開始する。図１１のフローチャートに示すように、操作性評価装置３８は、操作性の評価値を算出するステップとして、計測部４０が客観要因を計測する計測処理（ステップＳ１００）と、計測部４０が計測した客観要因に基づいて算出部４２が評価値を算出する算出処理（ステップＳ２００）と、算出部４２が算出した評価値を出力部４４が出力する出力処理（ステップＳ３００）とを備える。
【００８１】
計測処理では、車線ズレ量計測部４６による車線ズレ量計測処理と、操作時間計測部４８による操作時間計測処理と、操作距離計測部５０による操作距離計測処理と、エラー率算出部５２によるエラー率算出処理とが同時に実行される。
【００８２】
図１２に示すように、車線ズレ量計測処理では、先ず始めにカーソル２４が移動したか否かを車線ズレ量計測部４６が判断する（ステップＳ１０１）。ドライバが操作ノブ３２を操作して、カーソル２４が移動すると（ステップＳ１０１のＹｅｓ）、車線ズレ量計測部４６は、車線ズレ量の計測を開始する（ステップＳ１０２）。すなわち、車線ズレ量計測部４６は、車載カメラ２８で撮影された走行映像から自動車の走行軌跡Ｌ２を導出する。また、車線ズレ量計測部４６は、走行映像に基づいて自動車が走行する車線の基準走行線Ｌ１を設定する。そして、車線ズレ量計測部４６は、自動車の走行軌跡Ｌ２と基準走行線Ｌ１とのズレ量の計測を開始する。
【００８３】
図３の実線で示すように、選択肢画像Ａにカーソル２４を重ねた状態でドライバが決定ボタン３６を押すと、選択肢画像Ａが選択される（ステップＳ１０３のＹｅｓ）。選択肢画像Ａが選択されると、車線ズレ量計測部４６は、自動車の走行軌跡Ｌ２と基準走行線Ｌ１とのズレ量の計測を終了する（ステップＳ１０４）。そして、車線ズレ量計測部４６は、計測されたズレ量から車線ズレ量（標準偏差）を算出する（ステップＳ１０５）。車線ズレ量計測部４６は、算出した車線ズレ量を算出部４２に出力し（ステップＳ１０６）、車線ズレ量算出処理が終了する。
【００８４】
ここで、例えば、操作ノブ３２が操作し難い場合や、選択肢画像Ａ〜Ｃが小さく表示されて当該画像Ａ〜Ｃを選択する操作が困難な場合、ドライバは車両用装置１０の操作に意識が集中する傾向にある。その結果、ドライバの運転への集中力が相対的に低くなり、計測部４０で計測される車線ズレ量は大きくなり易い。すなわち、車両用装置１０の操作性が低くなるにつれて、車線ズレ量計測部４６で計測される車線ズレ量は大きくなる傾向にある。
【００８５】
反対に車両用装置１０の操作性が高ければ、ドライバは、車両用装置１０に気を取られ難くなり、自動車の運転に集中することができる。その結果、車線ズレ量計測部４６で計測される車線ズレ量は小さくなる傾向にある。
【００８６】
図１３に示すように、操作時間計測処理では、先ず始めに、カーソル２４が移動したか否かを操作時間計測部４８が判断する（ステップＳ１１０）。ドライバが操作ノブ３２を操作して、カーソル２４が移動すると（ステップＳ１１０のＹｅｓ）、操作時間計測部４８は、操作時間のカウントを開始する（ステップＳ１１１）。ドライバが選択肢画像Ａを選択すると（ステップＳ１１２のＹｅｓ）、操作時間計測部４８は、操作時間のカウントを終了する（ステップＳ１１３）。次に、操作時間計測部４８は、カーソル２４が移動してから選択肢画像Ａが選択されるまでの操作時間を計測する（ステップＳ１１４）。そして、操作時間計測部４８は、計測した操作時間を算出部４２に出力し（ステップＳ１１５）、操作時間計測処理が終了する。
【００８７】
ここで、車両用装置１０の操作性が低い場合、ドライバが望む操作（選択肢画像Ａを選択する操作）を正確に実行するまでに要する時間が長くなる。例えば、操作ノブ３２の操作性が低いと、選択肢画像Ａにカーソル２４を重ねるまでに時間が掛かったり、操作ミスが発生したりして時間が掛かったりする。すなわち、車両用装置１０の操作性が低くなるにつれて、操作時間計測部４８で計測される操作時間が長くなる傾向にある。
【００８８】
反対に、車両用装置１０の操作性が高い場合、ドライバが望む操作を効率よく行うことができる。その結果、カーソル２４が移動してから選択肢画像Ａを選択するまでの操作時間は、短くなる傾向にある。
【００８９】
図１４に示すように、操作距離計測処理では、先ず始めに、カーソル２４が移動したか否かを操作距離計測部５０が判断する（ステップＳ１２０）。ドライバが操作ノブ３２を操作して、カーソル２４が移動すると（ステップＳ１２０のＹｅｓ）、操作距離計測部５０は、カーソル２４の移動距離（操作距離）の計測を開始する（ステップＳ１２１）。そして、ドライバが選択肢画像Ａを選択すると（ステップＳ１２２のＹｅｓ）、操作距離計測部５０は、操作距離の計測を終了し（ステップＳ１２３）、カーソル２４の累積移動距離（操作距離）を算出する（ステップＳ１２４）。操作距離計測部５０は、算出した操作距離を算出部４２に出力し（ステップＳ１２５）、操作距離計測処理を終了させる。
【００９０】
ここで、車両用装置１０の操作性が低い場合、ドライバが望む操作を正確に実行するまでに要する操作距離（カーソル２４の累積移動距離）が長くなる。例えば、操作ノブ３２の操作性が低いと、選択肢画像Ａにカーソル２４を効率よく重ねることができず、選択肢画像Ａの周囲をカーソル２４が徘徊するように移動することがある。この場合、選択肢画像Ａを選択するまでに、カーソル２４が移動する距離は長くなる。また、操作ミスによって操作のやり直しが生じた場合も、カーソル２４が移動する距離が大きくなる。すなわち、車両用装置１０の操作性が低くなるにつれて、操作距離計測部５０で計測される操作距離は大きくなる傾向にある。
【００９１】
反対に、車両用装置１０の操作性が高い場合、選択肢画像Ａをカーソル２４に効率よく重ねることができる。その結果、カーソル２４が移動する距離が短くなって、操作距離計測部５０で計測される操作距離は小さくなる傾向にある。
【００９２】
図１５に示すように、エラー率算出処理では、先ず始めに、カーソル２４が移動したか否かをエラー率算出部５２が判断する（ステップＳ１３０）。ドライバが操作ノブ３２を操作して、カーソル２４が移動すると（ステップＳ１３０のＹｅｓ）、エラー率算出部５２は、過去の操作履歴を取得する（ステップＳ１３１）。次に、エラー率算出部５２は、選択肢画像Ａ〜Ｃが選択された否か判断する（ステップＳ１３２）。
【００９３】
ここで、ドライバが選択肢画像Ａを選択するところ、誤って選択肢画像Ｂを選択したとする（ステップＳ１３２のＹｅｓ）。この場合、ドライバは、選択肢画像Ｂを選択した操作を取り消すため、戻りボタン２６を選択する（ステップＳ１３３のＹｅｓ）。その後、ドライバは、改めて選択肢画像Ａにカーソル２４を重ねた状態で決定ボタン３６を押下することになる（ステップＳ１３４のＹｅｓ）。
【００９４】
このように、エラー率算出部５２は、何れかの選択肢画像Ａ〜Ｃの選択→戻りボタン２６の選択→他の選択肢画像Ａ〜Ｃの選択の一連の操作がされると、操作ミスが発生したと認定する（ステップＳ１３５）。エラー率算出部５２は、操作ミスの発生を認定すると、ステップＳ１３１で取得した過去の操作履歴に今回の操作ミスを反映させ、操作履歴を更新する（ステップＳ１３６）。そして、更新した操作履歴に基づいて、選択肢画像Ａを選択する際のエラー率を算出する（ステップＳ１３７）。次に、エラー率算出部５２は、算出したエラー率を算出部４２に出力して（ステップＳ１３８）、エラー率算出処理を終了する。
【００９５】
一方、ステップＳ１３２において、ドライバが選択肢画像Ａを正しく選択した場合、戻り操作は実行されない（ステップＳ１３３のＮｏ）。従って、操作ミスが認定されることなく、操作履歴が更新される（ステップＳ１３６）。その結果、前述した操作ミスが発生した場合よりも小さなエラー率が算出される（ステップＳ１３７）。そして、エラー率算出部５２は、算出したエラー率を算出部４２に出力して（ステップＳ１３８）、エラー率算出処理を終了する。
【００９６】
ここで、車両用装置１０の操作性が低い場合、ドライバが望む操作が終了するまでに操作ミスが発生する頻度は大きくなる。例えば、操作ノブ３２の操作性が低いと、選択肢画像Ａを選択するつもりが他の選択肢画像Ｂ，Ｃを選択してしまう操作ミスが起こり易くなる。また、選択肢画像Ａが小さく表示されていると、選択肢画像Ａを選択するつもりが選択肢画像Ｂ，Ｃを選択してしまう操作ミスが起こり易くなる。すなわち、車両用装置１０の操作性が低くなるにつれて、エラー率算出部５２で算出されるエラー率は大きくなる傾向にある。
【００９７】
反対に、車両用装置１０の操作性が高い場合、ドライバが操作ミスを発生する頻度は小さくなる。その結果、エラー率算出部５２で算出されるエラー率は小さくなる傾向にある。
【００９８】
計測部４０で計測した車線ズレ量、操作時間、操作距離およびエラー率が計測されると、算出部４２が算出処理（ステップＳ２００）を実行する。図１６に示すように、算出処理では、先ず始めに、第１〜第４の客観値が算出部４２に入力される（ステップＳ２０１）。次に、算出部４２は、式（１２）の定量化式を用いて評価値を算出する（ステップＳ２０２）。そして、算出部４２は、算出した評価値を出力部４４に出力し（ステップＳ２０３）、算出処理が終了する。
【００９９】
ここで、前述したように、車両用装置１０の操作性が低い場合、計測部４０で計測される車線ズレ量、操作時間、操作距離およびエラー率の値はそれぞれ大きくなる傾向にある。従って、車両用装置１０の操作性が低い場合、算出部４２がステップＳ２０２で算出する評価値の値は小さくなる（例えば、３．２３）。
【０１００】
一方、車両用装置１０の操作性が高い場合、計測部４０で計測される車線ズレ量、操作時間、操作距離およびエラー率の値はそれぞれ小さくなる傾向にある。従って、車両用装置１０の操作性が高い場合、算出部４２がステップＳ２０２で算出する評価値の値は大きくなる（例えば、６．０５）。
【０１０１】
算出部４２で評価値が算出されると、出力部４４は、出力処理（ステップＳ３００）を実行する。図１７に示すように、出力処理では、先ず始めに、算出部４２から評価値が出力部４４に入力される（ステップＳ３０１）。評価値が入力されると、出力部４４は評価値を表示する（ステップＳ３０２）。これにより、実験者やドライバは、車両用装置１０の操作性を評価値として客観的に認識することができる。
【０１０２】
また、出力部４４で出力された評価値が低い場合、実験者やドライバは、車両用装置１０の設定（操作パラメータ）を変更するといった措置を採ることができる。例えば、実験者は、評価値が低い場合、選択肢画像Ａ〜Ｃを大きく表示するように変更して、選択肢画像Ａ〜Ｃを選択する操作を行い易くするといった対応を採ることができる。また、実験者は、評価値が向上するように操作ノブ３２の感度やカーソル２４の移動速度等を変更する対応を採ることが可能となる。
【０１０３】
以上に説明したように、本実施形態に係る車両用装置１０の操作性評価方法および操作性評価装置３８によれば、以下の効果を奏する。
【０１０４】
ドライバの主観的な感覚である車両用装置１０の操作性を客観要因（第１〜第４の客観値）から定量的に評価することができる。従って、従来のように、多くの被験者を集めてアンケートにより操作性の評価を得る場合に比べ、費用や時間を大幅に抑制することができる。
【０１０５】
車両用装置１０の評価値は、主観要因に相関性のある客観要因（車線ズレ量、操作時間、操作距離およびエラー率）に基づいて算出される。また、主観要因は、操作性に影響度を有している。すなわち、客観要因を介して主観要因を反映した操作性の評価値を得ることができる。従って、算出される評価値は、ドライバの主観的な感覚を適確に反映した信頼性の高いものとなる。
【０１０６】
しかも、客観要因の計測および評価値の算出が自動で行われるから、評価値を簡単に得ることができ、車両用装置１０の操作性の評価を効率よく行うことができる。
【０１０７】
共分散構造分析の結果、操作性に対する影響度が最も大きい「ドライバが運転に集中できる」と感じる第１の主観値を主観要因として採用した。そして、この第１の主観値に相関性が高い第１の客観値（車線ズレ量）を用いて、算出部４２が評価値を算出する。すなわち、操作性に最も影響度のある第１の主観値を第１の客観値を介して評価値に反映させることができ、操作性を正確に評価することができる。
【０１０８】
しかも、本実施形態では、共分散構造分析の結果、操作性に影響度が高い上位４つの主観値（第１〜第４の主観値）を主観要因として採用している。そして、この４つの主観値にそれぞれ相関性を有する第１〜第４の客観値を用いて評価値を算出することで、より精度の高い操作性の評価値を算出することができる。
【０１０９】
ここで、客観要因として第１の客観値である車線ズレ量を採用することで、車両用装置１０の操作性が運転に与える影響を捉えることができる。すなわち、車線ズレ量を計測することで、ドライバの運転への意識の程度を間接的に測ることができ、ひいては車両用装置１０の操作性を評価することができる。
【０１１０】
客観要因として第２の客観値である操作時間を採用することで、車両用装置１０の操作性がドライバの労力に与える影響を間接的に測ることができる。すなわち、操作時間を計測することで、ドライバの操作時の労力を測り、ひいては車両用装置１０の操作性を評価することができる。
【０１１１】
客観要因として第３の客観値である操作距離を採用することで、車両用装置１０の操作性がドライバの心理的負担に与える影響を間接的に測ることができる。すなわち、操作距離を計測することで、ドライバが感じる心理的負担を測り、ひいては車両用装置１０の操作性を評価することができる。
【０１１２】
客観要因として第４の客観値であるエラー率を採用することで、車両用装置１０の操作性がドライバの操作の正確性に与える影響を間接的に測ることができる。すなわち、エラー率を計測することで、ドライバの操作の正確性を測り、ひいては車両用装置１０の操作性を評価することができる。
【０１１３】
評価値を算出する定量化式は、評価値と主観要因（第１〜第４の主観値）との関係を規定する重回帰式、および主観要因（第１〜第４の主観値）と客観要因（第１〜第４の客観値）との関係を規定する回帰式を用いて導出される。すなわち、定量化式は、客観的に計測可能な第１〜第４の客観値と評価値（操作性）との関係を正確に規定するものであり、精度の高い評価値を算出することができる。
【０１１４】
なお、前述した第１実施形態の操作性評価方法および操作性評価装置３８は、以下のように変更することができる。
【０１１５】
１．第１実施形態では、車両用入力装置１４として、いわゆるハプティックデバイスを採用したが、評価対象の車両用入力装置としては、タッチパネルディスプレイや、タッチパッドデバイス等、各種の操作デバイスを採用し得る。また、第１実施形態のような操作ノブ３２を備えたハプティックデバイスに限定されず、例えば十字キーを備えたものや、操作レバーを備えたものを採用してもよい。
【０１１６】
また、画像表示装置１２としては、第１実施形態の如く、ＬＣＤや有機ＥＬディスプレイ等に限定されず、他のディスプレイ装置であってもよい。なお、タッチパネルディスプレイを採用した場合、１つのタッチパネルディスプレイで車両用装置１０を構成し、画像表示装置および車両用入力装置の双方の機能をタッチパネルディスプレイが有することになる。
【０１１７】
２．第１実施形態では、自動車に操作性評価装置３８を搭載して、ドライバが実際に自動車を運転する間に車両用装置１０の操作性を評価するようにした。しかしながら、操作性評価装置３８をドライビングシミュレータに搭載し、ドライバがドライビングシミュレータを模擬的に運転する間に車両用装置１０の操作性を評価してもよい。この場合、車線ズレ量は、ドライビングシミュレータが再現する仮想道路に設定した基準走行線に対する走行軌跡のズレ量を測ることで計測される。
【０１１８】
３．第１実施形態では、ドライバが操作画像２２において選択肢画像Ａを選択する場合での操作性を評価した。しかしながら、操作性を評価する操作画像としては、本実施形態に限定されるものではない。例えば、エアコンを設定する操作画像（図７の画面２参照）において、エアコンの設定温度を設定する場合の操作性を評価してもよい。また、目的地等の文字入力を行う操作画像（図７の画面３参照）において、文字を入力する場合の操作性を評価してもよい。
【０１１９】
また、実施形態では、１組の画像表示装置１２および車両用入力装置１４を用いて操作性を評価した。しかしながら、例えば、画像表示装置に表示する操作画像を共通にして、異なる種類の車両用入力装置（ハプティックデバイス、タッチパッドデバイス等）の操作性を評価してもよい。これにより、同じ操作画像において、どのタイプの車両用入力装置が使い易いかについての比較を行うことができる。
【０１２０】
同様に、車両用入力装置を共通とし、異なる種類の操作画像の操作性を評価してもよい。この場合、異なる種類の操作画像の操作性を比較して、当該車両用入力装置で最も操作し易い操作画像の構成（例えば選択肢画像の大きさや配置）を決定することができる。
【０１２１】
〔第２実施形態〕
次に、第２実施形態について説明する。第２実施形態では、車両用装置６０の操作性の評価に加え、その評価結果に基づいて車両用装置６０の操作パラメータを制御する操作性制御方法および操作性制御装置６２についての説明を行う。なお、第２実施形態では、第１実施形態と相違する部分についてのみ説明を行い、第１実施形態と同じ部分については同一の符号を付して説明を省略する。
【０１２２】
図１８は、第２実施形態に係る車両用装置６０としての画像表示装置６４および車両用入力装置６６の制御構成を示すブロック図である。
【０１２３】
（画像表示装置について）
第２実施形態の画像表示装置６４は、第１実施形態と同様に、選択肢画像Ａ〜Ｃが表示された操作画像６８を表示する。但し、第２実施形態の画像表示装置６４は、各選択肢画像Ａ〜Ｃの周囲に引込領域Ｓが設定される点で、第１実施形態の画像表示装置６４と相違している。図１９の破線で示すように、この引込領域Ｓは、その外形が選択肢画像Ａ〜Ｃの外形（図１９では楕円形）と相似形であって、選択肢画像Ａ〜Ｃを囲うように設定される環状の領域である。
【０１２４】
引込領域Ｓは、操作画像６８中のカーソル２４が引込領域Ｓに進入すると、画像表示装置６４の画像制御部７０（引込領域設定手段）は、当該引込領域Ｓが囲う選択肢画像Ａ〜Ｃの中心に向けてカーソル２４が移動するように表示させる。例えば、図１９に示すように、選択肢画像Ａを囲う引込領域Ｓにカーソル２４が重なると、カーソル２４が自動的に選択肢画像Ａに向けて移動する。図１９では、引き込まれるカーソル２４が破線で示してある。これにより、ドライバがカーソル２４を選択肢画像Ａ〜Ｃまで正確に合わせる必要がなく、選択肢画像Ａ〜Ｃを選択するドライバの操作が支援される。
【０１２５】
ここで、引込領域Ｓの面積（大きさ）は、面積パラメータ（操作パラメータ）により規定される。すなわち、画像制御部７０は、面積パラメータに従って、表示する引込領域Ｓの大きさを決定している。そして、引込領域Ｓは、ドライバの操作を支援するものであるため、引込領域Ｓの面積は、画像表示装置６４の操作性に影響を与えることになる。従って、引込領域Ｓの面積を規定する面積パラメータを制御することで、画像表示装置６４の操作性を制御することが可能となる。
【０１２６】
（車両用入力装置について）
図２０は、第２実施形態の車両用入力装置６６を示す縦断面図であって、車両用入力装置６６は、第１実施形態と同様に、いわゆるハプティックデバイスで構成されている。車両用入力装置６６は、コンソールボックス１８（図１参照）に設置された箱状のベース部材３０と、該ベース部材３０に対し移動自在に設けられた操作ノブ３２とを備えている。ベース部材３０には、操作画像６８において選択肢画像Ａ〜Ｃを選択する決定ボタン３６が設けられている。車両用入力装置６６の作動は、操作制御部７２により制御される。
【０１２７】
操作ノブ３２の下面には、操作軸７４が接続されており、該操作軸７４は、ベース部材３０に設けた貫通孔３０ａを介してベース部材３０の内部に挿通されている。操作軸７４の下端部は、ベース部材３０の底面に設けた軸受け部７６に支持されている。軸受け部７６は、操作軸７４が軸受け部７６を中心として傾くことを許容しつつ、操作軸７４の下端部がベース部材３０の底面に対して位置ズレしないよう構成されている。
【０１２８】
ベース部材３０の貫通孔３０ａには、環状に形成されたゴム部材７８が、貫通孔３０ａの内側に同心状に設けられている。操作軸７４は、ゴム部材７８の孔を挿通されている。操作軸７４には、ゴム部材７８の孔に嵌まり込んだ状態で係合する円盤状部８０が設けられている。
【０１２９】
操作ノブ３２がドライバによって操作されていない状態では、ゴム部材７８の弾性力によって操作軸７４がベース部材３０の底面に対して略垂直な姿勢に保持される。そして、ドライバがゴム部材７８の弾性力に抗して操作ノブ３２を操作すると、図２０の一点鎖線で示す揺動中心αを中心として、操作軸７４が前後左右（自動車の走行方向の前方を基準）に傾くようになっている。その結果、操作ノブ３２を前後左右に移動させることが可能となる。
【０１３０】
ベース部材３０の内部には、Ｘ方向反力モータ８２（反力生成部）およびＹ方向反力モータ８４（反力生成部）が設けられている。また、ベース部材３０の内部には、操作軸７４の傾斜角を検出することで、操作ノブ３２の位置を計測する位置センサ（図示せず）が設けられている。
【０１３１】
Ｘ方向反力モータ８２およびＹ方向反力モータ８４は、操作制御部７２からの制御信号に従って駆動する。Ｘ方向反力モータ８２およびＹ方向反力モータ８４は、操作軸７４に対してＸ方向およびＹ方向の反力をそれぞれ加えて操作軸７４を傾けるようになっている。操作制御部７２は、操作軸７４（操作ノブ３２）に対する反力の大きさを規定する反力パラメータ（操作パラメータ）に基づいて、Ｘ方向反力モータ８２およびＹ方向反力モータ８４に制御信号を出力する。
【０１３２】
このように、本実施形態の車両用入力装置６６は、操作制御部７２がＸ方向反力モータ８２およびＹ方向反力モータ８４を制御することにより、操作ノブ３２に対して前後左右に反力を加えることができる。また、操作制御部７２は、位置センサの検出結果に基づき操作ノブ３２の位置を把握する。すなわち、車両用入力装置６６は、操作ノブ３２の位置を把握しつつ、操作ノブ３２を前後左右に自在に移動させることが可能となっている。このように、操作軸７４に反力を付与することで、操作ノブ３２が引き込まれる。
【０１３３】
本実施形態では、カーソル２４が引込領域Ｓに引き込まれる際に操作ノブ３２が引き込まれるようになっている。操作制御部７２は、引込領域Ｓでカーソル２４が選択肢画像Ａ〜Ｃへ向けて引き込まれる際に、当該カーソル２４の移動軌跡に対応して操作ノブ３２が移動するようＸ方向反力モータ８２およびＹ方向反力モータ８４を制御する。このとき操作制御部７２は、反力パラメータで規定された大きさの反力が操作ノブ３２に作用するようＸ方向反力モータ８２およびＹ方向反力モータ８４を制御する。
【０１３４】
このように操作ノブ３２の引き込みは、ドライバが選択肢画像Ａ〜Ｃを選択する操作を支援するものであるため、操作ノブ３２に作用する反力の大きさは、車両用入力装置６６の操作性に影響を与える。従って、操作性制御装置６２が反力の大きさを規定する反力パラメータを制御することで、車両用入力装置６６の操作性を制御することが可能となる。
【０１３５】
（操作性制御装置について）
図２１は、操作性制御装置６２の全体構成を示すブロック図である。操作性制御装置６２は、計測部４０（計測手段）と、算出部４２（算出手段）と、制御部８６（制御手段）とから基本的に構成されている。すなわち、操作性制御装置６２は、第１実施形態で示した操作性評価装置３８において、出力部４４に代えて制御部８６を備えた構成となっている。なお、操作性制御装置６２の計測部４０および算出部４２は、操作性評価装置３８と同じ構成であるため詳細な説明は省略する。
【０１３６】
操作性制御装置６２は、算出部４２において算出した車両用装置６０の評価値に基づいて、制御部８６が車両用装置６０の操作パラメータ（面積パラメータ，反力パラメータ）を制御する。制御部８６には、評価値の目標値が予め記憶されている。そして、算出部４２から算出される評価値が目標値に近づくように、制御部８６は、車両用装置６０の操作パラメータをフィードバック制御する。
【０１３７】
ここで、算出部４２が算出する評価値は、式（１２）の定量化式から算出されるため、算出部４２が算出する評価値は、最大で７となる。そこで、本実施形態では、式（１２）で算出される評価値の最大値である７を目標値として設定してある。
【０１３８】
制御部８６は、算出部４２が算出した評価値が目標値よりも低い場合に、面積パラメータを制御して、操作画像６８に表示される引込領域Ｓの面積を変化させる。例えば、評価値が目標値よりも低い場合、制御部８６は、引込領域Ｓの面積が大きくなるよう面積パラメータを制御する。引込領域Ｓの面積が大きくなると、カーソル２４が引込領域Ｓに重なり易くなるため、選択肢画像Ａ〜Ｃを選択する操作が支援される。その結果、計測部４０で計測される操作時間や操作距離等の客観要因が小さくなり、車両用装置６０の操作性（評価値）が向上することになる。
【０１３９】
一方、引込領域Ｓの面積が過度に大きくなると、カーソル２４が引込領域Ｓに補足され易くなる。従って、ドライバが目的とする選択肢画像Ａ〜Ｃにカーソル２４を移動させるまでに、他の選択肢画像Ａ〜Ｃの引込領域Ｓにカーソル２４が重なってしまい操作性が低下することがある。このような場合、制御部８６は、引込領域Ｓの面積が小さくなるよう面積パラメータを制御する。その結果、引込領域Ｓの面積が適当な大きさとなって、操作性が再び向上することになる。
【０１４０】
このようにして、制御部８６は、目標値と評価値との差が小さくなるように面積パラメータを制御する。そして、目標値と評価値との差が所定値βよりも小さくなった際に、制御部８６は、当該面積パラメータの値を決定する。この所定値βとしては、例えば１．０とされる。
【０１４１】
また制御部８６は、算出部４２で算出された評価値に基づいて、反力パラメータを制御するよう設定されている。すなわち、評価値が目標値よりも低い場合、制御部８６は、操作ノブ３２に作用する反力が大きくなるよう反力パラメータを変更する。その結果、変更された反力パラメータに基づき操作制御部７２がＸ方向反力モータ８２およびＹ方向反力モータ８４を制御し、操作ノブ３２に作用する反力が大きくなる。これにより、カーソル２４が引込領域Ｓで引き込まれる際に、操作ノブ３２が引き込まれる力が大きくなり、カーソル２４を選択肢画像Ａ〜Ｃに誘導する効果が大きくなる。従って、カーソル２４が選択肢画像Ａ〜Ｃへ向けて引き込まれている際に、ドライバが操作ノブ３２を誤操作しても、操作ノブ３２が当該誤操作に反応し難くなり、操作性が向上することになる。
【０１４２】
一方、操作ノブ３２に作用する反力が過度に大きくなると、ドライバが意図しない選択肢画像Ａ〜Ｃの引込領域Ｓにカーソル２４が引き込まれてしまった場合に、操作ノブ３２の軌道を修正することが困難となる。その結果、ドライバが望む選択肢画像Ａ〜Ｃを選択するまでに要する操作時間や操作距離が大きくなって、算出部４２で算出される評価値が低くなる。
【０１４３】
このような場合、制御部８６は、操作ノブ３２に作用する反力が小さくなるよう反力パラメータを制御する。これにより、操作ノブ３２に作用する反力が小さくなって、操作ノブ３２が適当な力で引き込まれる。この結果、車両用装置６０の操作性が向上し、算出部４２が算出する評価値が大きくなる。
【０１４４】
このようにして、制御部８６は、目標値と評価値との差が小さくなるように反力パラメータを制御する。そして、目標値と評価値との差が所定値γよりも小さくなった際に、制御部８６は、当該反力パラメータの値を決定する。本実施形態では、この所定値γは、面積パラメータを決定する際の所定値βよりも小さい値に設定され、例えば、所定値γは０．５とされる。
【０１４５】
（操作性制御方法について）
次に、前述のように構成された操作性制御装置６２を用いて車両用装置６０の操作パラメータを制御する具体的な方法について説明する。以下では、図１９の如く選択肢画像Ａ〜Ｃが表示された操作画像６８において、ドライバが選択肢画像Ａを選択する場合について説明する。また、操作画像６８に、選択肢画像Ａ〜Ｃに対し所定面積の引込領域Ｓが予め設定されているものとする。
【０１４６】
先ず始めに、選択肢画像Ａをカーソル２４で選択するまでの車両用装置６０の制御について説明する。ドライバが自動車を運転しながら操作ノブ３２を操作すると、操作制御部７２が操作ノブ３２の位置情報を画像制御部７０に出力する。画像制御部７０は、操作ノブ３２の位置情報に合わせて、操作画像６８中のカーソル２４が移動するよう表示させる。そして、選択肢画像Ａの引込領域Ｓにカーソル２４が重なると、画像制御部７０は、カーソル２４が選択肢画像Ａに向けて移動するよう表示させる（図１９参照）。
【０１４７】
これと同時に操作制御部７２は、Ｘ方向反力モータ８２およびＹ方向反力モータ８４を制御して、操作軸７４に反力を作用させる。その結果、操作ノブ３２が所定の反力で引き込まれる。このとき、操作制御部７２は、カーソル２４が選択肢画像Ａに引き込まれる移動軌跡に合わせて操作ノブ３２が引き込まれるようＸ方向反力モータ８２およびＹ方向反力モータ８４を制御する。
【０１４８】
このように、引込領域Ｓにカーソル２４が重なると、該カーソル２４が選択肢画像Ａ〜Ｃに向けて引き込まれるように表示される。従って、ドライバは、カーソル２４を選択肢画像Ａ〜Ｃの引込領域Ｓに重ねるだけで、カーソル２４が当該選択肢画像Ａ〜Ｃまで自動的に移動するので、選択肢画像Ａ〜Ｃを容易に選択することができる。しかも、選択肢画像Ａで引き込まれるカーソル２４に合わせて、操作ノブ３２も引き込まれる。従って、ドライバは、操作画像６８を視認しなくとも操作ノブ３２に触れた感覚からカーソル２４が移動していることを認識することができる。従って、ドライバは、運転に集中することができ安全である。
【０１４９】
そして、引込領域Ｓで引き込まれてカーソル２４が選択肢画像Ａに重なった状態で、ドライバが決定ボタン３６を押下すると、選択肢画像Ａが選択される。
【０１５０】
前述した選択肢画像Ａを選択する一連の操作が実行される間に、操作性制御装置６２は、車両用装置６０の操作性を制御する。図２２に示すように、操作性制御装置６２は、計測部４０が客観要因を計測する計測処理（ステップＳ１００）と、計測部４０が計測した客観要因に基づいて算出部４２が評価値を算出する算出処理（ステップＳ２００）と、算出部４２が算出する評価値に基づいて制御部８６が面積パラメータを制御する面積パラメータ決定処理（ステップＳ４００）と、算出部４２が算出する評価値に基づいて制御部８６が反力パラメータを制御する反力パラメータ決定処理（ステップＳ５００）とを備える。
【０１５１】
計測処理では、カーソル２４が移動を開始してから選択肢画像Ａが選択されるまでの間に、客観要因を計測する。すなわち、計測部４０は、車線ズレ量（第１の客観値）、操作時間（第２の客観値）、操作距離（第３の客観値）およびエラー率（第４の客観値）を計測する。算出処理では、計測処理で計測された客観要因に基づいて評価値を算出する。なお、計測処理および算出処理は、第１実施形態で説明した計測処理および算出処理と同一であるため説明は省略する（図１２〜図１６参照）。
【０１５２】
図２３に示すように、面積パラメータ決定処理では、先ず始めに、算出処理で算出された評価値が制御部８６に入力される（ステップＳ４０１）。次に、制御部８６は、目標値と入力された評価値との差が所定値βよりも大きいか否か判断する（ステップＳ４０２）。ここで、目標値と評価値との差が所定値βよりも大きい場合（ステップＳ４０２のＹｅｓ）、ドライバが前回の操作で選択肢画像Ａを選択した際の操作性（評価値）が低かったことを意味する。そこで、制御部８６は、操作画像６８に表示された引込領域Ｓの面積が大きくなるよう面積パラメータを変更する（ステップＳ４０３）。
【０１５３】
面積パラメータが変更されると、画像制御部７０は、当該面積パラメータが規定する面積で引込領域Ｓを表示させる。その結果、図２４に示すように、選択肢画像Ａ〜Ｃの引込領域Ｓが大きく表示される（図２４の一点鎖線は大きく表示される前の引込領域Ｓを示す）。
【０１５４】
引込領域Ｓが大きく表示された状態で、ドライバが再び選択肢画像Ａを選択する場合を想定する。この場合、引込領域Ｓの面積が大きくなっていることから、ドライバは、当該引込領域Ｓにカーソル２４を重ねる操作が前回の操作に比べて簡単となる。その結果、選択肢画像Ａにカーソル２４を効率よく重ねることができ、選択肢画像Ａを選択する操作が行い易くなる。そのため、計測部４０で計測される操作時間や操作距離等の客観要因の値が小さくなり、算出部４２で算出される評価値が向上する（高くなる）。
【０１５５】
引込領域Ｓの面積を大きくした結果、算出部４２での評価値が大きくなると（ステップＳ４０４のＮｏ）、制御部８６は、目標値と評価値との差がβより大きいか否か再び判断する（ステップＳ４０２）。目標値と評価値との差がβよりも依然として大きい場合（ステップＳ４０２のＹｅｓ）、制御部８６は、再び引込領域Ｓの面積が大きくなるよう面積パラメータを変更する（ステップＳ４０３）。その結果、変更された面積パラメータに基づいて、画像制御部７０は、引込領域Ｓを更に大きく表示させる。
【０１５６】
引込領域Ｓの面積が更に大きくなることで、より効率的にカーソル２４を選択肢画像Ａに重ねることができるようになれば、算出部４２で算出される評価値は更に向上する（ステップＳ４０４のＮｏ）。そして、制御部８６は、ステップＳ４０２に戻り、目標値と評価値との差が所定値βより大きいか否か再び判断する。
【０１５７】
目標値と評価値との差が所定値βよりも小さくなると（ステップＳ４０２のＮｏ）、そのときの引込領域Ｓの面積は選択肢画像Ａを効率よく選択し得る大きさであるといえる。従って、制御部８６は、そのときの値を面積パラメータに決定し（ステップＳ４０７）、面積パラメータ決定処理を終了させる。
【０１５８】
ここで、引込領域Ｓの面積が大きくなると、選択肢画像Ａ以外の選択肢画像Ｂ，Ｃの引込領域Ｓにカーソル２４が重なる可能性も大きくなる。従って、例えば、ドライバの意図に反して、選択肢画像Ｂの引込領域Ｓにカーソル２４が重なってしまうと、ドライバは、カーソル２４を選択肢画像Ｂから引き離す操作が余分に必要となる。その結果、選択肢画像Ａを選択するまでに、計測部４０で計測される操作時間や操作距離等の客観要因の値が大きくなり、車両用装置６０の操作性が却って低下してしまう。
【０１５９】
すなわち、ステップＳ４０３の結果、引込領域Ｓの面積が過度に大きくなると、算出部４２で算出される評価値が小さくなる（ステップＳ４０４のＹｅｓ）。この場合、制御部８６は、引込領域Ｓの面積が小さくなるよう面積パラメータを変更する（ステップＳ４０５）。その結果、過度に大きくなった引込領域Ｓの面積が是正され、操作性（評価値）が再び向上する。
【０１６０】
そして、制御部８６は、目標値と評価値との差が所定値βよりも小さいか否か判断し（ステップＳ４０６）、当該差が所定値βよりも小さければ（ステップＳ４０６のＹｅｓ）、そのときの値を面積パラメータに決定する（ステップＳ４０７）。一方、ステップＳ４０６が否定された場合、制御部８６は、目標値と評価値との差が所定値βよりも小さくなるまで、面積パラメータを変更する（引込領域Ｓの面積を小さくする）（ステップＳ４０５，Ｓ４０６）。このように、制御部８６は、算出部４２で算出される評価値が目標値に近づくように面積パラメータをフィードバック制御する。従って、決定された面積パラメータにより実現される車両用装置６０の評価値は、目標値に近い値となる。
【０１６１】
面積パラメータ決定処理で面積パラメータが決定されると、以後、画像制御部７０は、当該面積パラメータが規定する面積の引込領域Ｓを表示させる。従って、面積パラメータが決定された後は、最適な大きさの引込領域Ｓが表示されるようになり、ドライバは、選択肢画像Ａ〜Ｃを選択する操作を快適に行うことができる。
【０１６２】
面積パラメータ決定処理で面積パラメータが決定されると、次に、制御部８６は、反力パラメータ決定処理を実行する。図２５に示すように、反力パラメータ決定処理では、先ず始めに、算出部４２で算出された評価値が制御部８６に入力される（ステップＳ５０１）。次いで、制御部８６は、目標値と評価値との差が所定値γよりも大きいか否か判断する（ステップＳ５０２）。目標値と評価値との差が所定値γよりも大きい場合（ステップＳ５０２のＹｅｓ）、操作ノブ３２を引き込む反力が不足していると考えられる。そこで、制御部８６は、操作ノブ３２に作用する反力が大きくなるよう反力パラメータを変更する（ステップＳ５０３）。
【０１６３】
制御部８６によって反力パラメータが変更されると、操作制御部７２は、当該反力パラメータが規定する大きさの反力が操作ノブ３２に作用するようＸ方向反力モータ８２およびＹ方向反力モータ８４を制御する。ここで、反力パラメータが変更された後に、ドライバが選択肢画像Ａを再び選択する場合を想定する。ドライバが操作ノブ３２を操作して、カーソル２４が選択肢画像Ａの引込領域Ｓに重なると、カーソル２４が選択肢画像Ａに向けて引き込まれるように表示される。
【０１６４】
このとき、操作制御部７２は、Ｘ方向反力モータ８２およびＹ方向反力モータ８４を制御して、前回よりも大きな反力を操作ノブ３２に作用させる。このため、操作ノブ３２が引き込まれている際にドライバが操作ノブ３２を誤操作したとしても、当該誤操作の影響を操作ノブ３２が受け難くなる。そのため、カーソル２４が確実に選択肢画像Ａに引き込まれるようになり、選択肢画像Ａを選択する際の操作性が向上することになる。
【０１６５】
操作ノブ３２に作用する反力を大きくすることで操作性が向上すると、算出部４２で算出される評価値が向上する（ステップＳ５０４のＮｏ）。そして、制御部８６は、再び目標値と評価値との差が所定値γよりも大きいか否かを判断する（ステップＳ５０２）。操作性が向上した結果、目標値と評価値との差が所定値γよりも小さくなれば（ステップＳ５０２のＮｏ）、このときの操作ノブ３２に作用する反力が最適であるといえる。従って、制御部８６は、このときの値を反力パラメータに決定し（ステップＳ５０７）、反力パラメータ決定処理を終了する。
【０１６６】
一方、ステップＳ５０２において、目標値と評価値との差が依然として所定値γよりも小さい場合（ステップＳ５０２のＹｅｓ）、制御部８６は、操作ノブ３２に作用する反力が更に大きくなるよう反力パラメータを制御する（ステップＳ５０３）。その結果、ドライバがより効率的にカーソル２４を選択肢画像Ａに重ねることが可能となれば、算出部４２で算出される評価値が更に向上する（ステップＳ５０４のＮｏ）。そして、制御部８６は、再び目標値と評価値との差が所定値γよりも大きいか否か判断する（ステップＳ５０２）。
【０１６７】
ステップＳ５０２において、目標値と評価値との差が所定値γよりも小さくなると（ステップＳ５０２のＮｏ）、制御部８６は、このときの値を反力パラメータに決定し（ステップＳ５０７）、反力パラメータ決定処理を終了する。
【０１６８】
ここで、操作ノブ３２を引き込む反力が過度に大きくなった状態で、例えばドライバが誤ってカーソル２４を選択肢画像Ｂの引込領域Ｓに重ねてしまうと、操作ノブ３２が強い力で引き込まれることになる。そして、カーソル２４が選択肢画像Ｂに引き込まれるのを阻止するため、ドライバが操作ノブ３２の軌道を反力に抗して修正するのが困難となる。その結果、選択肢画像Ａを選択するまでに、計測部４０で計測される操作時間や操作距離等の客観要因の値が大きくなり、車両用装置６０の操作性が低下することになる。
【０１６９】
すなわち、ステップＳ５０３の結果、操作ノブ３２に作用する反力が過度に大きくなると、算出部４２で算出される評価値は小さくなってしまう（ステップＳ５０４のＹｅｓ）。この場合、制御部８６は、操作ノブ３２に作用する反力が小さくなるよう反力パラメータを変更する（ステップＳ５０５）。その結果、過度に大きくなった反力が是正されて、操作性（評価値）が改善することになる。
【０１７０】
そして、制御部８６は、ステップＳ５０６において、目標値と評価値との差が所定値γよりも小さいか否か判断し、当該差が所定値γよりも小さければ（ステップＳ５０６のＹｅｓ）、このときの値を反力パラメータに決定する（ステップＳ５０７）。一方、ステップＳ５０６が否定された場合、制御部８６は、目標値と評価値との差が所定値γよりも小さくなるまで、反力パラメータを変更する（ステップＳ５０５，Ｓ５０６）。このように、反力パラメータ決定処理においても、評価値が目標値に近づくように反力パラメータをフィードバック制御する。従って、決定された反力パラメータで実現される車両用装置６０の評価値は、目標値に更に近づいたものとなる。
【０１７１】
このようにして反力パラメータが決定されると、以後、操作制御部７２は、当該反力パラメータが規定する大きさの反力が操作ノブ３２に作用するようＸ方向反力モータ８２およびＹ方向反力モータ８４を制御する。従って、以後、操作ノブ３２は最適な反力で引き込まれ、ドライバは、選択肢画像Ａ〜Ｃを選択する操作を快適に行うことができる。
【０１７２】
以上に説明したように、本実施形態に係る車両用装置６０の操作性制御方法および操作性制御装置６２によれば、以下の効果を奏する。
【０１７３】
計測部４０が計測した客観要因（車線ズレ量、操作時間、操作距離およびエラー率）から算出部４２が操作性の正確な評価値を算出する。そして、制御部８６は、評価値が目標値に近づくように車両用装置６０の操作パラメータ（面積パラメータおよび反力パラメータ）を制御する。すなわち、車両用装置６０の操作性の評価が低い場合に、制御部８６が操作性パラメータを自動的に調整して、車両用装置６０の操作性が改善される。従って、操作性パラメータが決定されると、車両用装置６０の操作性が向上して、ドライバは車両用装置６０を快適に操作することができる。
【０１７４】
ここで、算出部４２は、計測部４０が計測した車線ズレ量や操作時間等の客観要因に基づいて評価値を算出する。そして、計測される客観要因には、ドライバが車両用装置６０を操作する際の特性や癖が反映されることになる。例えば、選択肢画像Ａを選択するような操作を不得手とするドライバは、当該操作に意識が奪われがちとなる。そのため、運転への集中力が相対的に低くなり、計測部４０で計測される車線ズレ量や操作時間等が大きくなる。その結果、算出部４２で算出される評価値が低くなり、制御部８６は、評価値が目標値に近づくように操作パラメータを制御することになる。
【０１７５】
一方、選択肢画像Ａを選択するような操作を得意とするドライバは、運転に集中することができるため、計測部４０で計測される客観要因は小さくなる。この場合、算出部４２が算出する評価値は高いものとなるから、制御部８６は、操作パラメータを大きく変更することはない。
【０１７６】
このように、本実施形態の操作性制御方法および操作性制御装置６２によれば、個々のドライバの特性や癖に合わせて、車両用装置６０の操作パラメータが適宜設定されることになる。従って、個々のドライバに合わせて車両用装置６０が最適にカスタマイズされるから、多くのドライバが快適な操作感を味わうことができる。
【０１７７】
選択肢画像Ａ〜Ｃを選択する際の車両用装置６０の評価値が低い場合、制御部８６は、面積パラメータを変更して、引込領域Ｓの面積を大きくさせる。これにより、カーソル２４を引込領域Ｓに重ね易くなり、選択肢画像Ａ〜Ｃを効率よく選択することができる。その結果、選択肢画像Ａ〜Ｃを選択する際の操作性を向上することができる。
【０１７８】
一方、引込領域Ｓを大きくした結果、評価値が低くなった場合には、引込領域Ｓの面積が過度に大きくなったと考えられる。このような場合、制御部８６は、引込領域Ｓの面積が小さくなるよう面積パラメータを変更するから、引込領域Ｓが適当な大きさに是正される。
【０１７９】
更に制御部８６は、選択肢画像Ａ〜Ｃを選択する際の車両用装置６０の評価値が低い場合に、制御部８６は、反力パラメータを変更して、操作ノブ３２に作用する反力を大きくさせる。これにより、操作ノブ３２が引き込まれている状態でドライバが誤操作をしても、操作ノブ３２が当該誤操作の影響を受け難くなる。その結果、選択肢画像Ａ〜Ｃを効率よく選択することができ、操作性が向上される。
【０１８０】
一方、操作ノブ３２に作用する反力が大きくなった結果、評価値が低くなった場合には、操作ノブ３２に作用する反力が過度に大きくなったと考えられる。この場合、制御部８６は、操作ノブ３２に作用する反力が小さくなるよう反力パラメータを変更することで、反力を適当な大きさに修正することができる。
【０１８１】
このように、本実施形態の操作性制御方法および操作性制御装置６２では、２つの操作パラメータ（面積パラメータおよび反力パラメータ）を制御することで、評価値を目標値により近づけることができる。その結果、車両用装置６０の操作性を最大限まで向上させることが可能となる。
【０１８２】
更に、本実施形態に係る操作性制御方法および操作性制御装置６２は、第１実施形態で説明した効果と同様な効果を奏することができる。
【０１８３】
なお、前述した第２実施形態の操作性制御方法および操作性制御装置６２は、以下のように変更することができる。
【０１８４】
１．第２実施形態では、制御部８６が制御する操作パラメータとして、引込領域Ｓの面積を規定する面積パラメータおよび反力の大きさを規定する反力パラメータを例示した。しかしながら、操作パラメータとしては、これらに限定されるものではない。例えば、操作ノブ３２に反力が線形的に（徐々に）作用する構成としたものにおいて、反力の傾きを規定するパラメータを制御対象としてもよい。また、操作ノブ３２に作用する反力の分解能を規定するパラメータを制御対象としてもよい。
【０１８５】
更には、カーソル２４の移動速度を規定するパラメータを制御対象としたり、選択肢画像Ａ〜Ｃの面積を規定するパラメータを制御対象としたりすることも可能である。なお、第２実施形態のように、面積パラメータおよび反力パラメータの双方を必ずしも制御する必要はなく、何れか一方のみを制御するようにしてもよい。
【０１８６】
２．第２実施形態では、いわゆるハプティックデバイスを車両用入力装置６６として採用した。しかしながら、タッチパネルディスプレイやタッチパッドデバイス等を車両用入力装置６６として採用することができる。なお、タッチパネルディスプレイやタッチパッドデバイスを車両用入力装置６６として採用した場合には、操作ノブ３２のような反力を作用させる対象がない。この場合、制御部８６は、面積パラメータのみを制御対象とすることになる。
【０１８７】
３．第２実施形態では、面積パラメータを決定した後、反力パラメータを決定したが、逆の順序で決定してもよい。また、面積パラメータおよび反力パラメータを同時に決定してもよい。
【０１８８】
また、制御部８６が面積パラメータや反力パラメータを制御する際、両パラメータの変化量を目標値と評価値との乖離度に比例させてもよい。例えば、算出された評価値が目標値から大きく乖離している場合、制御部８６は、引込領域Ｓの面積を乖離度合いに応じて大きく（または小さく）なるよう面積パラメータを制御してもよい。同様に、目標値と評価値との乖離度合いに比例して、操作ノブ３２に作用する反力が大きく（または小さく）なるよう反力パラメータを制御してもよい。
【０１８９】
４．第２実施形態では、操作性制御装置６２を自動車に搭載して、ドライバが自動車を実際に運転しながら車両用装置６０の操作性を制御する場合を例示した。しかしながら、操作性制御装置６２をドライビングシミュレータに搭載して、ドライバがドライビングシミュレータを模擬的に運転する間に車両用装置６０の操作性を制御するようにしてもよい。
【０１９０】
５．第２実施形態では、ドライバが選択肢画像Ａを選択する際に、車両用装置６０の操性を制御する場合を例示した。しかしながら、操作性を制御する態様については、第２実施形態に限定されるものではない。例えば、エアコンを設定する操作画像（図７の画面２参照）において、エアコンの設定温度を設定する場合の操作性を制御してもよい。また、目的地等の文字入力を行う操作画像（図７の画面３参照）において、所定の文字を入力する場合の操作性を制御してもよい。
【０１９１】
更に、第１実施形態および第２実施形態は、以下のように共通して変更することができる。
【０１９２】
１．第１および第２実施形態では、主観要因として第１の主観値（運転に集中できる）、第２の主観値（操作に労力がいらない）、第３の主観値（おおざっぱに操作できる）、第４の主観値（操作ミスが起こりにくい）の４つを採用した。しかしながら、主観要因として必ずしもこれら４つ主観値を採用する必要はない。例えば、影響度の最も大きい第１の主観値のみを主観要因として採用してもよい。また、第１の主観値と、第２〜第４の主観値における何れか１つまたは２つとを組み合わせたものを主観要因として採用してもよい。
【０１９３】
更に、第１〜第４の主観値に加えて、図５に示す他の主観値を主観要因として採用することも可能である。例えば、追加する主観値として、影響度の大きい「表示やボタンの意味が分かる」や「腕や身体が安定する」が挙げられる。
【０１９４】
２．客観要因についても、必ずしも４つの客観値（車線ズレ量、操作時間、操作距離、エラー率）を採用する必要はなく、採用された主観要因に対応して客観要因を決定すればよい。例えば、主観要因として第１の主観値のみが採用された場合には、客観要因として第１の客観値のみが採用される。また、主観要因として、「腕や身体が安定する」が追加された場合、対応する客観要因として、ドライバの筋負担や操作ノブ３２に対する接触圧を採用することができる。
【０１９５】
また、第１の主観値に対応する第１の客観値として、車線ズレ量を採用したが、第１の客観値としては、「運転に集中できる」と感じることに相関性を有する他の因子を採用し得る。例えば、第１の客観値として、ステアリングの操舵角を採用することができる。また、第１の客観値として、前方の車との車間距離や車間時間を採用したり、アクセルおよびブレーキの操作時間を第１の客観値として採用したりしてもよい。
【０１９６】
第２の主観値に対応する第２の客観値としては、操作時間に限定されず、「操作に労力がいらない」と感じることに相関性を有する他の因子を採用し得る。例えば第２の客観値として、操作回数を採用することができる。
【０１９７】
第３の主観値に対応する第３の客観値としては、操作距離に限定されず、「おおざっぱに操作できる」と感じることに相関性を有するものであれば他の因子を採用し得る。例えば、第３の客観値として、米国航空宇宙局（ＮＡＳＡ）が開発したＮＡＳＡ−ＴＬＸの評価結果を採用してもよい。
【０１９８】
第４の主観値に対応する第４の客観値としては、エラー率に限定されず、「操作ミスがない」と感じることに相関性を有する他の因子を採用してもよい。例えば、操作ミスの内容を分析して点数化したものを第４の客観値として採用してもよい。
【０１９９】
３．第１および第２実施形態では、式（１２）に示す定量化式を用いて評価値を算出した。この定量化式は、図９に示すアンケート調査において１〜７の７段階で評価を行った結果が反映されている。このため、定量化式で算出される評価値の最大値（第２実施形態の目標値）は、７となっていた。しかしながら、評価値を算出する定量化式としては、式（１２）に限定されるものではない。例えば、１〜１０の１０段階で評価するアンケートを実施し、その結果から定量化式を導出すれば、式（１２）と異なる定量化式が得られる。また、主観要因や客観要因の内容や数を変更して、回帰分析や重回帰分析を行うことで、式（１２）と異なる定量化式が導出される。このように、評価値を得る定量化式おしては、式（１２）に限定されず、異なる定量化式を用いて評価値を算出してもよい。
【符号の説明】
【０２００】
１２ａ…表示部、２４…カーソル、３２…操作ノブ、４０…計測部（計測手段）、４２…算出部（算出手段）、４６…車線ズレ量計測部（第１の計測部）、４８…操作時間計測部（第２の計測部）、５０…操作距離計測部（第３の計測部）、５２…エラー率算出部（第４の計測部）、６０…車両用装置、６８…操作画像、７０…画像制御部（引込領域設定手段）、８２…Ｘ方向反力モータ（反力生成部）、８４…Ｙ方向反力モータ（反力生成部）、８６…制御部（制御手段）、Ａ…選択肢画像、Ｂ…選択肢画像、Ｃ…選択肢画像、Ｌ１…基準走行線（走行線）、Ｌ２…走行軌跡（走行軌跡）、Ｓ…引込領域。
【図１】
2014203128.tif 000003
【図２】
2014203128.tif 000004
【図３】
2014203128.tif 000005
【図４】
2014203128.tif 000006
【図５】
2014203128.tif 000007
【図６】
2014203128.tif 000008
【図７】
2014203128.tif 000009
【図８】
2014203128.tif 000010
【図９】
2014203128.tif 000011
【図１０】
2014203128.tif 000012
【図１１】
2014203128.tif 000013
【図１２】
2014203128.tif 000014
【図１３】
2014203128.tif 000015
【図１４】
2014203128.tif 000016
【図１５】
2014203128.tif 000017
【図１６】
2014203128.tif 000018
【図１７】
2014203128.tif 000019
【図１８】
2014203128.tif 000020
【図１９】
2014203128.tif 000021
【図２０】
2014203128.tif 000022
【図２１】
2014203128.tif 000023
【図２２】
2014203128.tif 000024
【図２３】
2014203128.tif 000025
【図２４】
2014203128.tif 000026
【図２５】
2014203128.tif 000027